(57)【要約】【課題】  傘の下に座った状態でも充分に竿を扱い易く、日除け・雨除けを良好に行える実用性に秀れた釣り用傘を提供することである。【解決手段】  傘支持体１と、該傘支持体１から放射状に延設される傘骨２と、該傘骨２に設けられる傘膜３とから成り、前記傘支持体１を適宜な部材に取付固定した状態で使用する釣り用傘であって、前記傘膜３には、下縁から上方に向けて所定の距離だけ該傘膜３を切離する一対の切離部５が設けられ、この一対の切離部５の双方において傘膜３を切離することで該傘膜３の周縁部に開口部４が現出するように構成されているものである。【選択図】      図２
2006280275.tif 000002
【特許請求の範囲】
【請求項１】
傘支持体と、該傘支持体から放射状に延設される傘骨と、該傘骨に設けられる傘膜とから成り、前記傘支持体を適宜な部材に取付固定した状態で使用する釣り用傘であって、前記傘膜には、下縁から上方に向けて所定の距離だけ該傘膜を切離する一対の切離部が設けられ、この一対の切離部の双方において傘膜を切離することで該傘膜の周縁部に開口部が現出するように構成されていることを特徴とする釣り用傘。
【請求項２】
請求項１記載の釣り用傘において、切離部はファスナーであることを特徴とする釣り用傘。
【請求項３】
請求項１，２いずれか１項に記載の釣り用傘において、切離部により切離された傘膜を該傘膜の表側若しくは裏側へ止着する止着手段が設けられていることを特徴とする釣り用傘。
【請求項４】
請求項１〜３いずれか１項に記載の釣り用傘において、開口部の幅は、前記傘骨同士の間隔以下の幅に設定されていることを特徴とする釣り用傘。
【発明の詳細な説明】
【技術分野】
【０００１】
本発明は、釣り用傘に関するものである。
【背景技術】
【０００２】
一般に、釣り人が用いる日除け・雨除け用の釣り用傘は地面に固定して使用される。具体的には、釣り人が両手を自由な状態としておきたいため、握持せずして釣り人の着座部前方水際位置に設けられる角材（横木）等に、適宜な取付具を用いて取り付け固定される。
【０００３】
ところで、魚を釣り上げる際には、竿を斜め上方に持ち上げる必要があるため、上述のように傘を固定した状態では竿と傘（具体的には傘膜）とがぶつかり易く、傘の下に座った状態での魚の釣り上げは厄介である。特に、ヘラブナ釣り等、リールがないタイプの竿を用いる場合、釣り上げの際の竿の持ち上げは必須となり、一層厄介である。
【０００４】
そこで、例えば、魚を釣り上げる際に竿が当たらないような高い位置に傘を固定することも考えられるが、傘を高い位置（釣り人から離れた位置）に固定したのでは、日差しや雨が当たり好ましくなく、現実には魚を釣り上げる時は傘から出て魚の釣り上げを行っているのが現状である。
【発明の開示】
【発明が解決しようとする課題】
【０００５】
本発明は、上述の問題点を解決したもので、傘膜の周縁部に開口部を現出させることができ、釣り人から近い位置（低い位置）に固定した傘の下に座った状態でも充分に竿を扱い易く、日除け・雨除けを良好に行えるのは勿論、不要時には開口部を閉塞することも可能な実用性に秀れた釣り用傘を提供するものである。
【課題を解決するための手段】
【０００６】
添付図面を参照して本発明の要旨を説明する。
【０００７】
傘支持体１と、該傘支持体１から放射状に延設される傘骨２と、該傘骨２に設けられる傘膜３とから成り、前記傘支持体１を適宜な部材に取付固定した状態で使用する釣り用傘であって、前記傘膜３には、下縁から上方に向けて所定の距離だけ該傘膜３を切離する一対の切離部５が設けられ、この一対の切離部５の双方において傘膜３を切離することで該傘膜３の周縁部に開口部４が現出するように構成されていることを特徴とする釣り用傘に係るものである。
【０００８】
また、請求項１記載の釣り用傘において、切離部５はファスナーであることを特徴とする釣り用傘に係るものである。
【０００９】
また、請求項１，２いずれか１項に記載の釣り用傘において、切離部５により切離された傘膜３を該傘膜３の表側若しくは裏側へ止着する止着手段６が設けられていることを特徴とする釣り用傘に係るものである。
【００１０】
また、請求項１〜３いずれか１項に記載の釣り用傘において、開口部４の幅は、前記傘骨２同士の間隔以下の幅に設定されていることを特徴とする釣り用傘に係るものである。
【発明の効果】
【００１１】
本発明は、上述のように構成したから、傘の下に座った状態でも充分に竿を扱い易く、日除け・雨除けを良好に行える実用性に秀れた釣り用傘となる。
【発明を実施するための最良の形態】
【００１２】
好適と考える本発明の実施形態を、図面に基づいて本発明の作用を示して簡単に説明する。
【００１３】
切離部５を切離して傘膜３の周縁部に開口部４を現出させることで、該開口部４内で竿を自由に動かすことができ、竿を斜め上方に持ち上げても開口部４の存在により該竿が傘（傘膜）にぶつかりにくく、よって、日除け・雨除けを良好に行える傘の下に座った状態のままで魚を釣り上げることができることになる。
【実施例】
【００１４】
本発明の具体的な実施例について図面に基づいて説明する。
【００１５】
本実施例は、傘支持体１と、該傘支持体１から放射状に延設される傘骨２と、該傘骨２に設けられる傘膜３とから成り、前記傘支持体１を適宜な部材に取付固定した状態で使用する釣り用傘であって、前記傘膜３には、下縁から上方に向けて所定の距離だけ該傘膜３を切離する一対の切離部５が設けられ、この一対の切離部５の双方において傘膜３を切離することで該傘膜３の周縁部に開口部４が現出するように構成されているものである。
【００１６】
本実施例は、足場や柵等を備えた管理釣り堀等に設けられる釣り人の着座部前方水際位置に設けられる横木若しくはヘラ台や浮き橋の前縁部等に取付固定された状態で使用するものである。
【００１７】
各部を具体的に説明する。
【００１８】
傘支持体１及び傘骨２は夫々釣り用傘としての公知の構成が採用されている。具体的には、傘支持体１及び傘骨２としてカーボンファイバー製のものが採用されており、図１に図示したように傘支持体１に連結骨７を介して放射状に延設される８本の傘骨２を、該傘支持体１に対して摺動可能な状態で連設し、該８本の傘骨２を開いた状態で傘膜３が張設されるように構成されている。
【００１９】
傘膜３としては、公知の釣り用傘と同様に遮光性及び撥水性の高いナイロン等の素材から成るものが採用される。
【００２０】
この傘膜３の周縁部には、所定間隔をおいて一対の切離部５が形成されている。この切離部５には、ファスナーが設けられており、該ファスナーにより傘膜３の切離・連結を行えるように構成されている。
【００２１】
具体的には、傘膜３の一対の切離部５に設けたファスナーを夫々傘膜３の下縁から上方に引き上げることで該傘膜３の周縁部に所定幅の開口部４が現出するように構成されている。
【００２２】
尚、当然この開口部４が不要な場合には、ファスナーを夫々傘膜３の下縁に向かって引き下げることで隠蔽することも可能である。
【００２３】
また、一対の切離部５は、開口部４の幅が隣接する傘骨２同士の間隔以下の幅となるように、傘骨２同士の間に設けられている。具体的には、切離部５は隣接する傘骨２に夫々添設状態（即ち傘骨２と同様の末広がり傾斜状態）に設けられており、よって、前記切離部５を切離することで、前記傘膜３の周縁部には台形状の開口部４が現出することになる。
【００２４】
尚、本実施例においては、切離部５を傾斜状態に設けて台形状の開口部４が現出するように構成しているが、切離部５を垂直状態に設けて方形状の開口部４が現出する構成としても良い。
【００２５】
従って、本実施例は、開口部４が傘骨２を跨がない構成であるから、従来の傘骨２の構造を変更する必要なく、且つ傘膜３による遮蔽効果をそれ程低下させることなく、竿の操作性を向上し得ることになる。
【００２６】
また、本実施例においては、上述のように一対の切離部５を一つ設けて開口部４が一つ形成される構成としている。従って、使用時には、この開口部４が釣り人の斜め前方位置（右利きであれば右斜め前方位置）に位置するように固定する必要がある。そこで、この固定作業を容易ならしめるために、複数の開口部４を形成し得るように一対の切離部５を複数設けた構成としても良い。
【００２７】
また、傘膜３には、一対の切離部５により切離された傘膜３を該傘膜３の表側に止着する止着手段６が設けられている。具体的には、止着手段６は、図２に図示したように傘膜３の表側及び切離部５により切離される傘膜３の表側に夫々設けられる一対の係止帯６ａ・６ｂ（面ファスナー）により構成されている。従って、切離された傘膜３をめくり上げて一対の係止帯６ａ・６ｂを止着することで開口部４の開口状態が保持されることになる。
【００２８】
また、前記切離部５により傘膜３を切離すると、該切り離された傘膜３は自重で垂れ下がり、この状態でも開口部４が形成される。即ち、竿８を操作してもこの垂れ下がった傘膜３に竿８は当たるが操作にそれ程支障はない。また、日除け等の効果も発揮されるが、目の前で風等により揺動すると邪魔であるので、上記止着手段６で止着するのが望ましい。
【００２９】
本実施例においては、止着手段６として、一対の係止帯６ａ・６ｂを採用しているが、ホック等他の係止構造を採用しても良いし、傘膜３に切離部５により切離される傘膜３を収納し得る収納部を設けた収納構造を採用しても良い。尚、切離部５により切離される傘膜３を傘膜３から完全に分離可能（取り外し可能）に構成しても良い。
【００３０】
従って、図２に図示したように固定された傘の下で座った状態で竿８を斜め上方に持ち上げても、この竿８の自由度は開口部４により充分確保され、例えばリールのないヘラブナ釣り用の竿を用いていても竿８が傘膜３にぶつかることなく魚を釣り上げることができることになる。
【００３１】
本実施例は上述のように構成したから、切離部５を切離して傘膜３の周縁部に開口部４を現出させることで、該開口部４内で竿８を自由に動かすことができ竿８を斜め上方に持ち上げても、開口部４の存在により該竿が傘にぶつかりにくく、日除け・雨除けも良好に行える傘の下に座った状態のままで魚を釣り上げることができることになる。
【００３２】
また、ファスナーにより切離部５の切離・連結を簡単に行うことができるから、それだけ汎用性に秀れたものとなる。
【００３３】
また、止着手段６を設けたから、切離した傘膜３が邪魔にならず、良好に釣りを行えることになる。
【００３４】
また、開口部４の幅が隣接する傘骨２同士の間隔以下の幅に設定されているから、開口部４が傘骨２を跨がない構成であり、従来の傘骨２の構造を変更する必要なく、且つ傘膜３による遮蔽効果をそれ程低下させることなく、竿８の操作性を向上し得ることになる。
【００３５】
従って、本実施例は、開口部を現出させることができ、傘の下に座った状態でも充分に竿を扱い易く、日除け・雨除けを良好に行える実用性に秀れた釣り用傘となる。
【図面の簡単な説明】
【００３６】
【図１】本実施例の一部を切り欠いた概略説明斜視図である。
【図２】本実施例の使用状態図である。
【符号の説明】
【００３７】
１  傘支持体
２  傘骨
３  傘膜
４  開口部
５  切離部
６  止着手段
【図１】
2006280275.tif 000003
【図２】
2006280275.tif 000004